(57)【要約】【課題】大きなものだけでなく、アクセサリーのような小物も収納可能な使い勝手の良い、簡単な構成で浴室壁に簡単に固定し、手軽に使用できる収納棚を実現する。【解決手段】収納棚１は浴室壁２に固定される上棚３と、上棚３にスライド可能に取り付けられた下棚４を備え、上棚３及び下棚４には、それぞれ外周を上面側に立ち上げられた立ち上がり部８、２８が形成されており、上棚３の下面の左右端部にそれぞれ下棚嵌合部２１が設けられ、下棚４の左右の立ち上がり部の上端にそれぞれ上棚嵌合部４４が設けられて、下棚嵌合部２１と上棚嵌合部４４がスライド可能に嵌合されており、下棚嵌合部２１の後面側端部に下棚４が上棚３から外れて落下することを防止する落下防止部４６が設けられている。【選択図】図６
2017113204.tif 000002
【特許請求の範囲】
【請求項１】
浴室壁に固定されて物品を載置する浴室用の収納棚において、収納棚は浴室壁に固定される上棚と上棚にスライド可能に取り付けられた下棚を備え、上棚及び下棚には外周を上面側に立ち上げられた立ち上がり部が形成されており、上棚の下面の左右端部にそれぞれ下棚嵌合部が設けられ、下棚の左右の立ち上がり部の上端にそれぞれ上棚嵌合部が設けられて、上棚嵌合部と下棚嵌合部がスライド可能に嵌合されていることを特徴とする収納棚。
【請求項２】
請求項１に記載の収納棚において、上棚嵌合部の後面側端部又は下棚嵌合部の前面側端部に、下棚が上棚から外れて落下することを防止する落下防止部が設けられていることを特徴とする収納棚。
【請求項３】
請求項１または２に記載の収納棚において、下棚は前面の立ち上がり部に対して垂直方向に延びた仕切り壁を備えていることを特徴とする収納棚。
【請求項４】
請求項１ないし３のいずれかに記載の収納棚において、下棚の載置面には前面の立ち上がり部と平行に延びたリブが複数設けられており、リブはスリットを備え、隣り合うリブのスリット位置が重ならないように互い違いにスリットが形成されていることを特徴とする収納棚。            
【請求項５】
請求項１ないし４のいずれかに記載の収納棚において、下棚は後面の立ち上がり部に向かって傾斜して形成されており、後面の立ち上がり部近傍に複数に分割された下棚排水部が設けられていることを特徴とする収納棚。
【請求項６】
請求項１ないし５のいずれかに記載の収納棚において、上棚の後面の立ち上がり部近傍に上棚排水部が設けられており、下棚の後面の立ち上がり部は下棚の収納時に上棚排水部よりも前面側に設けられていることを特徴とする収納棚。 
【発明の詳細な説明】
【技術分野】
【０００１】
本発明は、収納棚に関し、特に浴室壁に取り付けて使用される収納棚に関するものである。
【背景技術】
【０００２】
従来、浴室内に設けられる浴室収納装置として、浴室壁に取り付けられる収納棚は周知である。また、浴室壁面に埋設された箱体内に、前方へ引き出し自在に棚板が設けられた浴室収納装置は知られている（特許文献１参照）。
【先行技術文献】
【特許文献】
【０００３】
【特許文献１】特開平８−１３１２６９号公報
【発明の概要】
【発明が解決しようとする課題】
【０００４】
従来の浴室壁に取り付けられる収納棚は、シャンプーボトル等の大きいものを置くことを前提に設計されており、例えば、ネックレス、ピアス等のアクセサリーを外して置く場所がない。カウンタや収納棚にアクセサリーを置くことはできるとしても、シャワーなどによる水があたると流されてしまうという問題がある。
【０００５】
上記特許文献１に示す収納装置を浴室壁に設置し、その棚板に上記アクセサリー等を置くようにしてもよいが、箱体を備えた収納装置は、それ自体の構成が簡単ではなく、コストもかかる、また、浴室壁内に張り出して設置すると、スペースをとり浴室が狭く、圧迫感を感じたりする。
【０００６】
本発明は、上記浴室における収納上の問題を解決することを目的とし、大きなものだけでなく、アクセサリーのような小物も、水にながされることなく収納可能な使い勝手に優れ、簡単な構成で、浴室壁に簡単に装着して手軽に使用できる収納棚を実現することを課題とする。
【課題を解決するための手段】
【０００７】
本発明は上記課題を解決するために、浴室壁に固定されて物品を載置する浴室用の収納棚において、収納棚は浴室壁に固定される上棚と上棚にスライド可能に取り付けられた下棚を備え、上棚及び下棚には外周を上面側に立ち上げられた立ち上がり部が形成されており、上棚の下面の左右端部にそれぞれ下棚嵌合部が設けられ、下棚の左右の立ち上がり部の上端にそれぞれ上棚嵌合部が設けられて、上棚嵌合部と下棚嵌合部がスライド可能に嵌合されていることを特徴とする収納棚を提供する。
【０００８】
上棚嵌合部の後面側端部又は下棚嵌合部の前面側端部に、下棚が上棚から外れて落下することを防止する落下防止部が設けられていることが好ましい。
【０００９】
下棚は前面の立ち上がり部に対して垂直方向に延びた仕切り壁を備えていることが好ましい。
【００１０】
下棚の載置面には前面の立ち上がり部と平行に延びたリブが複数設けられており、リブはスリットを備え、隣り合うリブのスリット位置が重ならないように互い違いにスリットが形成されていることが好ましい。           
【００１１】
下棚は後面の立ち上がり部に向かって傾斜して形成されており、後面の立ち上がり部近傍に複数に分割された下棚排水部が設けられていることが好ましい。
【００１２】
上棚の後面の立ち上がり部近傍に上棚排水部が設けられており、下棚の後面の立ち上がり部は下棚の収納時に上棚排水部よりも前面側に設けられていることが好ましい。
【発明の効果】
【００１３】
本発明に係る浴室用の収納棚は、浴室壁に固定される上棚と上棚にスライド可能に取り付けられた下棚を備え、上棚と下棚にはそれぞれ互いに嵌合する嵌合部が設けられている構成であるので、下棚に小物等を収納することで、濡らさず収納することができる。
【図面の簡単な説明】
【００１４】
【図１】本発明に係る収納棚の実施例１の全体構成を示す斜視図であり、（ａ）は下棚を引出した状態を示し、（ｂ）は下棚を収納した状態を示す。
【図２】実施例１の上棚及び下棚を説明する斜視図であり、（ａ）は上棚、（ｂ）下棚を、（ｃ）は上棚と下棚を合体した状態を示す。（ｄ）は浴室壁に取り付けたダボを示す斜視図である。
【図３】実施例１の上棚を説明する図であり、（ａ）は背面図であり、（ｂ）は平面図であり、（ｃ）は正面図であり、（ｄ）は下棚嵌合部の拡大図を示す図である。
【図４】実施例１の下棚を説明する図であり、（ａ）は背面図であり、（ｂ）は平面図であり、（ｃ）は正面図である。
【図５】（ａ）、（ｂ）は実施例１の上棚及び下棚をそれぞれ前方から見て左側の部分の斜視図であり、（ｃ）は下棚の要部を説明する斜視図である。
【図６】（ａ）は実施例１の合体した状態の上棚及び下棚の前後方向に沿った断面図であり、（ｂ）は上棚と下棚の嵌合部の構造を説明する前後方向に対して垂直な断面図である。
【図７】実施例１の上棚及び下棚の要部を説明する図であり、（ａ）は上棚の下棚嵌合部が下棚の落下防止部との関係を示す要部断面図であり、（ｂ）は（ａ）のＢ−Ｂ断面図であり、（ｃ）、（ｄ）は押し込み規制片の構成、作用を説明する図である。
【図８】本発明に係る収納棚の実施例２を説明する図であり、（ａ）は実施例２の合体した状態の上棚及び下棚の前後方向に沿った断面図であり、（ｂ）は（ａ）のＢ−Ｂ断面図であり、（ｃ）は（ａ）のＣ−Ｃ断面図であり、（ｄ）は（ａ）のＤ−Ｄ断面図である。
【発明を実施するための形態】
【００１５】
本発明に係る収納棚を実施するための形態を実施例に基づき図面を参照して、以下説明する。
【実施例】
【００１６】
（実施例１）
本発明に係る収納棚の実施例１を図１〜７において説明する。実施例１の収納棚１は、図１(ａ)、（ｂ）に示すように、浴室壁２に固定される上棚３と、上棚３にスライド可能に取り付けられた下棚４を備えている。この明細書では、収納棚１を手前側に引き出す方向を前側として、前方から見て左右を左右側として説明する。
【００１７】
上棚３は、図１、図２(ａ)、（ｃ）、図３（ａ）〜（ｃ）、図５（ａ）、図６（ａ）等に示すように、底板７と、底板７の外周に上面側に立ち上げられた立ち上がり部８を備えている。立ち上がり部８は、前面の立ち上がり部（前板）９、後面の立ち上がり部（背板）１０、及び左右の立ち上がり部（側板）１１を備えている。
【００１８】
上棚３の底板７は、物品を収納する際の載置面となるが、後面の立ち上がり部１０の近傍（後面の立ち上がり部１０近傍の少し前側）に、上棚排水部１５が設けられている（図１、図３（ｂ）、図５（ａ）、図６（ａ）等参照）。この上棚排水部１５は、底板７上に付着した水を排水する。
【００１９】
上棚３の後面の立ち上がり部１０の後面の左右には、それぞれ厚い板部１６が形成されている。この厚い板部１６には、図２（ｃ）、図３（ａ）に示すように、下方に開口し上下方向に長い取り付け用長孔１７が形成されている。
【００２０】
後記するが、予め浴室壁２に、図２（ｄ）に示すようなダボ２０を取り付け、このダボ２０を取り付け用長孔１７に下方から挿入し、ダボ２０で上棚３を支持するようにして、収納棚１を浴室壁２に、着脱可能に固定することができる。
【００２１】
なお、本実施例１では、上棚３の取り付け手段は、取り付け用長孔１７とダボ２０としたが、このような取り付け手段ではなく、図示はしないが、フックとフック受け具等、その他の取り付け手段であっても良い。
【００２２】
上棚３の底板７の下面の左右端部であって前端近くに、それぞれ下棚４との嵌合部（本明細書では「下棚嵌合部」という）２１が設けられている（図３（ａ）、（ｃ）、（ｄ）、図６参照）。
【００２３】
下棚嵌合部２１は、図６（ａ）に示すように、前後方向には、下棚４に設けられた後記する上棚嵌合部４４の前後方向の長さに比較して短く形成されている。また、図３（ｄ）、図６（ｂ）に示すように、下棚嵌合部２１は、底板７の下面から下方に突設した垂直部２３と、垂直部２３の下端から外側方に延びる水平部２４とを備えている。
【００２４】
下棚４は、図１（ａ）、図２(ｂ)、図４（ａ）〜（ｃ）、図５（ｂ）、図６（ａ）等に示すように、底板２７と、底板２７の外周を上面側に立ち上げられた立ち上がり部２８が形成されている。立ち上がり部２８は、前面の立ち上がり部２９（前板）、後面の立ち上がり部３０（背板）、及び左右の立ち上がり部（側板）３１を備えている。
【００２５】
下棚４は、図６（ａ）に示すように、上棚３の前後方向の長さより短く形成されている。下棚４の前後方向の長さは、具体的には、下棚４の収納時（図１（ｂ）、図６（ａ）に示すように壁方向に向けて収納した時）に、下棚４の後面の立ち上がり部３０が、少なくとも上棚排水部１５よりも前方に位置するような長さである。
【００２６】
下棚４の底板２７は、物品を収納する際の載置面となるが、後面の立ち上がり部３０に向かって下方に傾斜して形成されており、後面の立ち上がり部３０の近傍には、左右方向に向けて複数に分割された下棚排水部３５が設けられている（図２（ｂ）、図４（ｂ）、図５（ｂ）、図６（ａ）等参照）。これにより、底板２７上の水を後方に流下させ、下棚排水部３５から排水することが可能となる。
【００２７】
また、下棚４は、図１（ａ）、図２（ｂ）、図４（ｂ）、図５（ｂ）、図６（ａ）等に示すように、その載置面である底板２７上に、前面の立ち上がり部２９に対して垂直方向に延びた仕切り壁３６を備えている。
【００２８】
さらに、下棚４は、底板２７上に、前面の立ち上がり部２９と平行に延びたリブ３７が、前後方向に間隔をおいて複数列設けられている。前後方向に間隔をおいて複数列設けられた複数のリブ３７は、それぞれスリット３８を備えている。このスリット３８は、左右方向に小さな幅を有するとともにリブ３７の上端から下端（底板２７上面）まで達する隙間である。
【００２９】
スリット３８は、リブ３７の左右方向に間隔をおいて形成されている。このように複数のリブ３７は、それぞれ左右方向に間隔をおいてスリット３８が形成されることで、左右方向に連なる複数の小リブ３９に分割されている。そして、前後方向に隣り合うリブ３７のスリット３８の位置が重ならないように、スリット３８は、互い違いに（千鳥配列に）が形成されている（図４（ｂ）、図５（ｂ））等参照）。
【００３０】
図２（ｂ）、図４、図５（ｂ）、図６に示すように、下棚４の左右の立ち上がり部３１の上端に、それぞれ上棚３との嵌合部（本明細書では「上棚嵌合部」という）４４が設けられている。上棚嵌合部４４は、前後方向には、下棚４の全長近くの長さを有する。
【００３１】
なお、前記した下棚嵌合部２１及び上棚嵌合部４４の長さと、前後方向における取付位置は、下棚４を上棚３に対して、どの程度前方に引き出せるようにするか（引出しのストローク）を考慮して設計されるべき事項である。
【００３２】
図４（ｂ）、図５（ｂ）、（ｃ）及び図６（ｂ）に示すように、上棚嵌合部４４は、下棚４の左右の立ち上がり部３１の上端から、それぞれ互いに対向するように内側に向けて延びる水平部４５を備えている。このような構成によって、上棚嵌合部４４は、下棚嵌合部２１に吊持されかつスライド可能に嵌合されている。
【００３３】
下棚４の上棚嵌合部４４の後面側端部（後面側の端部）に、図６（ａ）、図７（ａ）、（ｂ）に示すように、下方の向けて突設された落下防止部４６が形成されている。この落下防止部４６は、下棚４を上棚３に対して前方にスライドして引き出していくと、上棚３の下棚嵌合部２１に突き当たって、下棚４のそれ以上の前方へのスライドを規制し、その結果、下棚４が上棚３から外れて落下することを防止する。
【００３４】
図６（ａ）、図７（ｃ）、（ｄ）に示すように、下棚４の上棚嵌合部４４の後端面が係合可能な押し込み規制片４９が、上棚３の底板７の下面の左右両端部に、それぞれ下方に出没可能に突出するように設けられている。
【００３５】
実施例１では、押し込み規制片４９は板バネから成り、その基端部５０が底板７の下面に形成された退避凹部５２に取り付けられており、常時は、その弾力によりフック状の先端部５１が退避凹部５２から下方に突出するように構成されている（図７（ｃ）参照）。
【００３６】
なお、押し込み規制片は、板バネから成るものではなく、後記する実施例２に示す押し込み規制片６７のように圧縮コイルバネ６９で出没可能に付勢された構成（図７（ａ）、（ｄ）参照）のように、その他の構成でもよい。
【００３７】
この押し込み規制片４９の設置位置の条件についてより詳しく説明すると、上棚３の下棚嵌合部２１の後方延長線上にあり、上棚排水部１５より前方であって、下棚４を通常の収納位置に収納した時に、下棚４の上棚嵌合部４４の後端面が当接して係合する位置である。
【００３８】
ここで、「通常の収納位置」とは、下棚４の前面の立ち上がり部２９が、図１（ｂ）、図６（ａ）に示すように、上棚３の前面の立ち上がり部９に略面一になるように、下棚４を後方に押し込んだ収納状態の位置を言う。
【００３９】
要するに、下棚４を収納位置に押し込む際に、その前面の立ち上がり部２９が上棚３の前面の立ち上がり部９より後方になるまで押し込むことができないように、例えば、底板７における上棚排水部１５の前側の位置に押し込み規制片４９が設けられている。
【００４０】
このような押し込み規制片４９を設けたので、上棚嵌合部４４が、押し込み規制片４９に突き当たって後方への移動が規制される。そのために、下棚４は、通常の収納位置より必要以上、後方に押し込むことができないので、下棚４が上棚３の上棚排水部１５の直下に位置することがなく、排水が下棚４に流入しない、また、下棚４が上棚３から抜け落ちることもない。
【００４１】
（組立、取付、作用）  
以上の構成から成る収納棚１の組立、取付及び作用について、以下説明する。収納棚１を固定しようとする浴室壁２に、図２（ｄ）に示すように、予め左右２つのダボ２０を取り付けておく。そして、収納棚１を、浴室壁２に固定する場合は、まず、上棚３の下棚嵌合部２１と下棚４の上棚嵌合部４４を互いに嵌合して組み立てる。
【００４２】
そのためには、押し込み規制片４９を退避凹部５２内に指で押し入れた状態で（図７（ｄ）参照）、下棚４の上棚嵌合部４４を、上棚３の下棚嵌合部２１に後ろ側から挿入し、図２（ｃ）、図６（ａ）に示すように、上棚３と下棚４を合体した状態に組み立てる。
【００４３】
次に、合体した上棚３と下棚４を持って、その後端側から浴室壁２に近づけ、上棚３の取り付け用長孔１７に、その下端の開口から浴室壁２に固定されたダボ２０を挿入させ、上棚３をダボ２０で支持するようにして、浴室壁２に取り付ける。
【００４４】
このように浴室壁２に固定された収納棚１の使用に際しては、シャンプーボトル等の大きいものは、上棚３に載置すればよい。ネックレス、ピアス等のアクセサリー等の小物は、下棚４を引き出して、仕切り壁３６、リブ３７、小リブ３９等で仕切られた区画内に、適宜、収納すればよい。
【００４５】
本発明の収納棚１は、従来例のように箱体を浴室壁に装着し、その箱体に設けた引き出しに物を収納するようなたいそうな構成ではなく、上棚３の下に下棚４を引出し可能に設けたというきわめて簡単な構成を特徴とし、しかも、下棚４内に小物を収納すれば、シャワー等の水流が直接小物には当たらないので、従来の浴室壁に設けられた棚のように、小物が流れ落ちるようなことを防止できる。
【００４６】
下棚４の底板２７の上面は、仕切り壁３６、リブ３７、小リブ３９等によって適宜仕切られているので、小物を分けて収納することができ、使い勝手が良くなる。下棚４の底板２７に付着した水が、底板２７の傾斜面に沿って後方に流れる際に、リブ３７によって、水流の勢いが弱められるので、収納した小物が水流によって後方に流されたり、下棚排水部３５から流れ落ちるようなことが防止できる。
【００４７】
下棚４は、前方に引き出していくと、下棚４の上棚嵌合部４４の後端に設けた落下防止部４６が上棚３の下棚嵌合部２１に突き当たるので、下棚４が上棚３からはずれて落下するようなことが防止でき、安全性も向上する。
【００４８】
下棚４は、上棚３を浴室壁２から取り外さないと上棚３から抜き取ることができないので、自然に（振動等の何らかの原因により）外れたり、勝手に外したりすることができないので、この点からも安全性が向上する。
【００４９】
収納棚１の浴室壁２からの取り外しの際には、収納棚１、特にその後部を持ち上げ、取り付け用長孔１７をダボ２０から外せば、浴室壁２から比較的簡単に取り外すことができる。
【００５０】
さらに、収納棚１の上棚３と下棚４を分離する際には、押し込み規制片４９を退避凹部５２内に指で押し入れた状態で（図７（ｄ）参照）、下棚４を上棚３に対して後方にスライドし、上棚嵌合部４４を下棚嵌合部２１との嵌合から外す。これにより、上棚３と下棚４を簡単に分離することが可能となる。
【００５１】
このように、収納棚１は浴室壁２から容易に取り外すことができ、上棚３と下棚４を簡単に完全に分離することができるので、上棚３、下棚４及び浴室壁２の清掃もし易い。必要に応じて、上棚３だけを浴室壁２に固定して使用する等、使用の多様化も図れる。
【００５２】
下棚４の後面の立ち上がり部３０は、下棚４の通常の収納時に上棚排水部１５よりも前面側になるように設けられているので、上棚排水部１５からの排水が、下棚４に流れ込むようなことが防止できるので、衛生的である。
【００５３】
また、この収納棚１では、上棚３の底板７の下面の左右に押し込み規制片４９を、下方に出没自在に設けたので、下棚４を上棚３に組み込む際には、退避凹部５２内に押し入れて邪魔とならないようにし、下棚４を上棚３に組み込んだ後は、押し込み規制片４９が常時下方に突出しているので、下棚４の上棚嵌合部４４が、押し込み規制片４９に突き当たって後方への移動が規制される。
【００５４】
そのために、下棚４は、後方に通常の収納位置より必要以上に後方押し込むことができないので、下棚４が上棚排水部１５の直下に位置するようなことがなく、排水が下棚４に流入しない、また、下棚４が上棚３から抜け落ちることもない。
【００５５】
（実施例２）
本発明に係る収納棚１の実施例２を、図８を参照して説明する。実施例２の収納棚６０の構成、作用は、実施例１の収納棚１と略同じであるので、ここでは、相違する構成について説明する。
【００５６】
実施例２の上棚３の下棚嵌合部６１及び下棚４の上棚嵌合部６２は、それぞれその断面形状は、図８（ｃ）に示すが、実施例１の収納棚１について図６（ｂ）で示す形状と同じである。
【００５７】
しかしながら、実施例１の収納棚１とは逆に、実施例２の収納棚６０では、図８（ａ）に示すように、上棚３の下棚嵌合部６１の前後方向の長さが、下棚４の上棚嵌合部６２の前後方向の長さより長く形成されている。
【００５８】
そして、上棚３の下棚嵌合部６１の前面側端部に、落下防止部６５が形成されている。この落下防止部６５は、図８（ａ）、（ｂ）に示すように、下棚嵌合部６１の垂直部２３、水平部２４及び上棚３の底板７によって囲まれる嵌合空間６６の前端を閉じるように構成されている。
【００５９】
下棚４の左右の上棚嵌合部６２は、実施例１の上棚嵌合部４４と同様であり、それぞれ下棚４の左右の立ち上がり部３１の後面側端部に、互いに向き合うように内側に向かって水平に形成されており、上棚３の下棚嵌合部６１にスライド可能に嵌合される。
【００６０】
下棚４を前方に引き出していくと、下棚４の上棚嵌合部６２が、上棚３の下棚嵌合部６１の落下防止部６５に突き当たって規制され、それ以上は前方に引き出せないように構成されている。
【００６１】
また、下棚４を収納の際に、その通常の収納位置より後方、即ち、下棚４の前面の立ち上がり部２９が上棚３の前面の立ち上がり部９より後方になるまで押し入れることができないように、例えば、上棚排水部１５の前方に底板７から下方に出没可能な押し込み規制片６７が設けられている。
【００６２】
実施例２の収納棚６０の押し込み規制片６７は、図８（ｄ）に示すように、上棚３の底板７に形成された退避孔６８内に圧縮コイルバネ６９を介して、退避孔６８から出没自在に取り付けられており、常時は上棚３の底板７から下方に突出している。
【００６３】
実施例１の押し込み規制片４９と同様に、下棚４を上棚３に組み込む時には、押し込み規制片６７を退避孔６８内に退避させる。なお、実施例２の収納棚６０においても、押し込み規制片６７は、実施例１の収納棚１に使用されている板バネから成る押し込み規制片４９のような構成としてもよいし、その他、同様の機能を備えた構成のものを使用してもよい。
【００６４】
このような押し込み規制片６７を設けたので、上棚嵌合部６２が、押し込み規制片６７に突き当たって後方への移動が規制される。そのために、下棚４は、後方に必要以上に押し込むことができないので、下棚４が上棚排水部１５の直下に位置するようなことがなく、排水が下棚４に流入しない。また、下棚４が上棚３から抜け落ちることもない。
【００６５】
以上の構成から成る実施例２の収納棚６０は、押し込み規制片６７を退避孔６８内に押し入れた状態で、下棚４の上棚嵌合部６２を、上棚３の下棚嵌合部６１の後端側から前端側に向けて挿入していき、下棚４の上棚嵌合部６２と上棚３の下棚嵌合部６１を互いに嵌合して、下棚４を上棚３にスライド可能に組み込んで合体する。
【００６６】
以上、本発明に係る収納棚を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６７】
本発明に係る収納棚は上記のような構成であるから、いろいろなタイプの浴室に適用可能である。
【符号の説明】
【００６８】
１  収納棚                                 
２  浴室壁                                 
３  上棚                                   
４  下棚                                   
７  上棚の底板                             
８  上棚の立ち上がり部                     
９  上棚の前面の立ち上がり部               
１０  上棚の後面の立ち上がり部             
１１  上棚の左右の立ち上がり部             
１５  上棚排水部                           
１６  厚い板部                             
１７  取り付け用長孔                       
２０  ダボ                                 
２１  上棚の下棚嵌合部                     
２３  下棚嵌合部の垂直部                   
２４  下棚嵌合部の水平部                   
２７  下棚の底板                           
２８  下棚の立ち上がり部                   
２９  下棚の前面の立ち上がり部             
３０  下棚の後面の立ち上がり部             
３１  下棚の左右の立ち上がり部             
３５  下棚排水部                           
３６  仕切り壁                             
３７  リブ                                 
３８  スリット                             
３９  小リブ                               
４４  下棚の上棚嵌合部                     
４５  上棚嵌合部の水平部                   
４６  落下防止部                           
４９  押し込み規制片                       
５０  係合片の基端部                       
５１  係合片の先端部                       
５２  上棚の底面の退避凹部                     
６０  収納棚                               
６１  下棚嵌合部                           
６２  上棚嵌合部                           
６５  落下防止部                           
６６  嵌合空間                             
６７  押し込み規制片                       
６８  退避孔                               
６９  圧縮コイルバネ                       
【図１】
2017113204.tif 000003
【図２】
2017113204.tif 000004
【図３】
2017113204.tif 000005
【図４】
2017113204.tif 000006
【図５】
2017113204.tif 000007
【図６】
2017113204.tif 000008
【図７】
2017113204.tif 000009
【図８】
2017113204.tif 000010